(57)【要約】【課題】簡単な構成で容易に容器本体から取り外すことができるオーバーキャップを提供する。【解決手段】アンダーカット１８は、オーバーキャップ１６の開口部１６ａ内周に、周方向に複数、リブ状に凸設し、前記オーバーキャップ１６には、その下縁部の一部に、径方向外側に突出した一以上の開封操作部２２を設け、前記オーバーキャップ１６を容器本体１０に固定した状態で、開封操作部１０が押圧されることによって開口部１６ａが変形し、巻き締め部１０ｃへのアンダーカット１８の係合が開放して、オーバーキャップ１６が容器本体１０から取り外し可能になる。【選択図】図１
2009132416.tif 000002
【特許請求の範囲】
【請求項１】
内容物を収容した容器本体の先端部に注出構造を設けた容器であって、オーバーキャップの開口部内周にアンダーカットを設け、容器本体の先端部に環状かつ径外方向に突出した環状突出部を設け、前記オーバーキャップをその開口部側から注出構造を含む容器本体の先端部に被せた状態で、前記環状突出部に前記アンダーカットが係合して容器本体に固定するオーバーキャップにおいて、
前記アンダーカットは、オーバーキャップの開口部内周に、周方向に複数、リブ状に凸設し、
前記オーバーキャップには、その下縁部の一部に、径方向外側に突出した一以上の開封操作部を設け、
前記オーバーキャップを容器本体に固定した状態で、開封操作部が押圧されることによってオーバーキャップの開口部が変形し、前記環状突出部へのアンダーカットの係合が開放して、オーバーキャップが容器本体から取り外し可能になることを特徴とするオーバーキャップ。
【請求項２】
開封操作部は、オーバーキャップの開口部の外周面を径方向外側に断面略コ字形状に膨出成形した押圧部分であって、開封操作部を押圧することによって、オーバーキャップの開口部が変形し、前記環状突出部へのアンダーカットの係合が開放して、オーバーキャップを容器本体から取り外し可能にしたことを特徴とする請求項１に記載のオーバーキャップ。
【請求項３】
アンダーカットは、開封操作部の両側近傍に少なくとも１組設けたことを特徴とする請求項１または２に記載のオーバーキャップ。
【請求項４】
略断面コ字形状の開封操作部は、オーバーキャップの開口部に向かって拡開状に形成したことを特徴とする請求項１から３のうちの１項に記載のオーバーキャップ。
【請求項５】
略断面コ字形状の開封操作部は、オーバーキャップ中心軸を挟んで対で設けられ、各々が開口部に向かって開口していることを特徴とする請求項４に記載のオーバーキャップ。
【発明の詳細な説明】
【技術分野】
【０００１】
本発明は、内容物を収容した容器本体の先端部に注出構造を設けた容器であって、噴射ボタンを有するエアゾール製品の巻き締め部等、容器本体側方に突出した環状突出部にアンダーカット嵌合して、容器本体の内容物出口を覆うためのオーバーキャップに関する。
【背景技術】
【０００２】
内容物を収容した容器本体の先端部に注出構造を設けた容器、例えば、図１０や図１１に外観を示すような、エアゾール製品は、有効成分および噴射剤からなる内容物が充填された下端部および上端部が閉鎖された筒状の容器本体ａが、容器本体ａの開放形成された胴部ａ１の上端開口に肩部ａ２が巻き締め接合された（巻き締め部ｄ）ものである。
【０００３】
容器本体ａ上端部の肩部ａ２中央には管体のステム（図１０では、噴射ボタンで隠れている）が上下動可能に挿通し、このステムに噴射ボタンｃが嵌合しており、その噴射ボタンｃを操作することによって、ステムの弁体を開状態にして容器本体ａ内の内容物を噴射可能にしている。
【０００４】
上記エアゾール製品は、その不使用時に、容器本体ａの噴射ボタンｃを含んで肩部ａ２から上が、オーバーキャップｅで覆われる。オーバーキャップｅにおいては、下部内周面に突出形成されたアンダーカットｆが上記の環状に突出する巻き締め部ｄに嵌合してオーバーキャップｅを容器本体に固定できるようにしている。
【０００５】
エアゾール製品では、上記のように、不使用時に、オーバーキャップｅで噴射ボタンｃ周囲をカバーすることにより（覆って）、噴射ボタンｃに物が当たる等して不用意に噴射するのを防止している。
【０００６】
汎用タイプのエアゾール製品では、図１０、図１１に示すような、容器本体ａ側壁の外径と同一外径のオーバーキャップｅが採用されている。
【０００７】
エアゾール製品は、店頭での改竄（改ざん）防止のため製品全体がシュリンクフィルムで被覆されており、消費者が製品を使用開始する際には、シュリンクフィルムを破って製品を取り出す必要がある。
【０００８】
シュリンクフィルムを除去した後の通常使用時では、オーバーキャップｅ自体を掴んでエアゾール製品の容器本体ａを持ち上げたりするため、オーバーキャップｅと容器本体ａとの嵌合強度は、簡単には外れない強度を確保する必要がある。
【０００９】
また、通常使用時におけるオーバーキャップｅ取り外し操作は、図１０に示すように、オーバーキャップｅを真上に強く引っ張りながら取り外す方法や、図１１に示すように、オーバーキャップｅを容器本体ａに対して斜めに「こじる」取り外す方法がある。特に「こじる」方法では、図１１に示すように、オーバーキャップｅが容器本体ａから外れる際に、噴射ボタンｃに接触し、噴射ボタンの外れやステムを破損する不具合が発生する虞があった。
上記のような不具合は、エアゾール製品以外の内容物を収容した容器本体の先端部に注出構造を設けた容器でも注出構造に生じる場合があり、同様に解決すべき課題である。
【００１０】
なお、キャップの取り外しに関して、実用新案登録第３１０２１１０号公報（特許文献１）において、次の構成のプッシュオープンキャップが記載されている。
【００１１】
すなわち、特許文献１では、容器本体の肩口に昇り斜面を形成しており、キャップを閉じたときには、側壁の下縁が上記の昇り斜面に当接して位置している。また、キャップ内周面の一部に当接板が取付けられ、容器本体の口部の外周面がこの当接板に接しており、当接板の内周面に突起部が形成され、口部の外周面に該突起部が係脱自在に嵌合する係合部が形成されている。また、キャップには、中心を挟んで１８０度方向に押え部が形成され、この押え部を指先で押圧するとキャップの側壁が内側に変形し、この変形によってキャップ側壁下縁が容器本体側の傾斜面に沿って摺り上がり、これによって、係合部から突起部が外れてキャップが開放する。
【００１２】
しかしながら、この特許文献１の技術では、容器本体側の肩口に傾斜面の構成を必要とするので、エアゾール製品のように、容器本体に先端部に環状に取り巻く巻き締め部にオーバーキャップのアンダーカットが嵌合する構成のものでは、傾斜面が形成されていないので、傾斜面に沿って摺り上がることができずキャップが外れない問題点がある。仮に傾斜面を形成しようとすると、金属製の容器本体に別途の加工や斜面の部材を付設する必要が生じてしまい、しかも、キャップ内に当接板の形成が必要になる等構成が複雑化するので、高コスト化してしまう問題があった。
【特許文献１】実用新案登録第３１０２１１０号公報
【発明の開示】
【発明が解決しようとする課題】
【００１３】
本発明は、上記従来の実情に鑑みなされたものであって、内容物を収容した容器本体の先端部に注出構造を設けた容器において、オーバーキャップを、容器本体側方に突出した環状突出部にアンダーカット嵌合するのに、本体容器側に傾斜面等別途の構成を設けることなく、簡単な構成で容易にオーバーキャップを容器本体から取り外すことができるオーバーキャップを提供しようとするものである。
【課題を解決するための手段】
【００１４】
本発明はオーバーキャップにかかるものである。
【００１５】
本発明は、内容物を収容した容器本体の先端部に注出構造を設けた容器であって、オーバーキャップの開口部内周にアンダーカットを設け、容器本体の先端部に環状かつ径外方向に突出した環状突出部を設け、前記オーバーキャップをその開口部側から注出構造を含む容器本体の先端部に被せた状態で、前記環状突出部に前記アンダーカットが係合して容器本体に固定するオーバーキャップにおいて、
前記アンダーカットは、オーバーキャップの開口部内周に、周方向に複数、リブ状に凸設し、
前記オーバーキャップには、その下縁部の一部に、径方向外側に突出した一以上の開封操作部を設け、
前記オーバーキャップを容器本体に固定した状態で、開封操作部が押圧されることによってオーバーキャップの開口部が変形し、前記環状突出部へのアンダーカットの係合が開放して、オーバーキャップが容器本体から取り外し可能になることを特徴とするオーバーキャップである。
【００１６】
本発明においては、開封操作部は、オーバーキャップの開口部の外周面を径方向外側に断面略コ字形状に膨出成形した押圧部分であって、開封操作部を押圧することによって、オーバーキャップの開口部が変形し、前記環状突出部へのアンダーカットの係合が開放して、オーバーキャップを容器本体から取り外し可能にしたことが好適である。
【００１７】
本発明においては、アンダーカットは、開封操作部の両側近傍に少なくとも１組設けたことが好適である。
【００１８】
本発明においては、略断面コ字形状の開封操作部は、オーバーキャップの開口部に向かって拡開状に形成したことが好適である。
【００１９】
本発明においては、略断面コ字形状の開封操作部は、オーバーキャップ中心軸を挟んで対で設けられ、各々が開口部に向かって開口していることが好適である。
【発明の効果】
【００２０】
本発明の請求項１〜５記載のオーバーキャップによれば、オーバーキャップのアンダーカットは、オーバーキャップの開口部内周に、周方向に複数、リブ状に凸設し、前記オーバーキャップには、その下縁部の一部に、径方向外側に突出した一以上の開封操作部を設けていているの、オーバーキャップを取り外す操作において、開封操作部を押圧する操作のみでオーバーキャップのアンダーカット係合を外して、簡易に容器本体からオーバーキャップを外すことができる。したがって、容器本体の注出構造、例えばエアゾール製品においてのオーバーキャップの開封時に噴射ノズルにオーバーキャップが当接してステムが外れる等の不具合が生じることがない。
【００２１】
また、本発明において、オーバーキャップの開口部の外周面を径方向外側に断面略コ字形状に膨出成形した押圧部分としており、開封操作部を押圧することによって、オーバーキャップの開口部が変形し、前記環状突出部へのアンダーカットの係合が開放して、オーバーキャップを容器本体から取り外し可能にすれば、アンダーカットの係合が簡単に外れ、確実にオーバーキャップを取り外すことができる。
【００２２】
また、アンダーカットは、開封操作部の両側近傍に少なくとも１組設ければ、開口操作部の操作した際に、バランスよく確実にアンダーカットの係合が外れるので、好ましい。
【００２３】
また、略断面コ字形状の開封操作部は、オーバーキャップの開口部に向かって拡開状に形成すれば、拡開状の部分が容易に開きやすく弱い操作での係合解除ができる。その場合に、開封操作部を、オーバーキャップ中心軸を挟んで対で設けることによって更にバランス良く開口でき、好ましい等の優れた効果を奏し得る。
【発明を実施するための最良の形態】
【００２４】
以下、本発明の実施の形態を、添付図面を参照して説明する。
【００２５】
図１〜図７は本発明の実施形態１に係る容器およびそれのオーバーキャップの説明図である。図８は本発明の実施形態２に係る容器にオーバーキャップを装着したもの、図９は本発明の実施形態３に係る容器にオーバーキャップを装着したものの説明図である。
【００２６】
図１は、実施形態１に係るオーバーキャップを装着したエアゾール製品容器の一部断面視した全体説明図、図２は比較例のオーバーキャップの開口部側から見た図、図３は実施形態１に係るオーバーキャップの斜視図、図４は同オーバーキャップを開口部側から見た図、図５は（ａ）、（ｂ）は、第１変形例、第２変形例の説明図、図６は実施形態１に係るオーバーキャップの取り外し状態の、図１のＩ−Ｉ線断面から見た説明図、図７は同オーバーキャップを使用者が掴んで取り外し操作する状態の説明図である。
【００２７】
図１に示すように、本発明の、内容物を収容した容器本体の先端部に注出構造を設けた容器の実施形態１は、内容物（有効成分および噴射剤など）を収容した容器本体１０内に挿通するステム（管体）１２に噴射ボタン１４が嵌合し、この噴射ボタン１４の操作によって内容物を噴射口１４ａから噴射するエアゾール製品（噴射容器の例）に係り、オーバーキャップ１６の開口部１６ａ内周にアンダーカット１８を設け、容器本体１０の先端部に環状かつ径外方向に突出した巻き締め部１０ｃを設けている。
【００２８】
前記オーバーキャップ１６は、一側が開口した開口部１６ａで、他側が閉鎖した天底部である概略筒状構造を呈している。前記オーバーキャップ１６は、その開口部１６ａ側を下向きにして、噴射ボタン１４を含む容器本体１０の先端部に被せた状態で、前記巻き締め部１０ｃに前記アンダーカット１８が係合して容器本体１０に固定するようになっている。
【００２９】
詳しくは、容器本体１０の開放形成された胴部１０ａの上端開口に巻き締め部（環状突出部）１０ｃによって肩部１０ｂが接合されたものである。この上端部の肩部１０ｂ中央にはステム１２が上下動可能に挿通し、このステム１２に噴射ボタン１４が嵌合しており、その噴射ボタン１４を操作することによって、ステム１２下方に接続される弁体１０ｄを開状態にして容器本体１０内の内容物を噴射可能にしている。
【００３０】
なお、肩部１０ｂにおいてステム１２周囲の凹部椀状を呈して、巻き締めによって肩部１０ｂに一体に接合されている。
【００３１】
また、オーバーキャップ１６においては、下部内周面にリブ状または片状に内向きに突出形成されたアンダーカット１８が上記の環状に突出する巻き締め部１０ｃ外周に嵌合してオーバーキャップ１６を容器本体１０に固定できるようにしている。これにより、オーバーキャップ１６で噴射ボタン１４をカバーして（覆って）、不用意な噴射を防止している。
【００３２】
アンダーカット１８は、内周全周に亘って形成されるものではなく、オーバーキャップ１６を開口部１６ａ側から見た、図４に示すように、前記アンダーカット１８は、オーバーキャップ１６の開口部１６ａ内周に、周方向に沿うリブ状に複数（実施形態では４箇所）が凸設している。
【００３３】
前記オーバーキャップ１６の比較例が図２に示すように、開口部１６ａが凹凸のない円形状に形成されているのに対して、実施形態１のオーバーキャップ１６は、図３、図４に示すように、その下縁部の一部に、径方向外側に丘状に突出した一以上の開封操作部２２を設けている。前記オーバーキャップ１６を容器本体１０に固定した状態で、開封操作部２２が押圧されることによってオーバーキャップ１６の開口部１６ａが変形し、前記巻き締め部１０ｃへのアンダーカット１８の係合が開放して、オーバーキャップ１６が容器本体１０から取り外し可能になるものである。
【００３４】
図３、図４に示すように、開封操作部２２は、オーバーキャップ１６の開口部１６ａの外周面を径方向外側に断面略コ字形状に膨出成形した押圧部分であって、開封操作部２２を押圧することによって、オーバーキャップ１６の開口部１６ａが変形し、前記巻き締め部１０ｃへのアンダーカット１８の係合が開放して、オーバーキャップ１６が容器本体１０から取り外し可能にしたものである。略断面コ字形状の開封操作部２２は、少なくとも１箇所に設ければよいが、図４〜図６に示すように、オーバーキャップ１６中心軸Ｏ１を挟んで対（対角位置）で設けられ、各々が開口部１６ａに向かって開口しているようにすることが、ユーザーが手指で摘みやすく好ましい。
【００３５】
また、前記アンダーカット１８は、開封操作部２２の一側に一つまたは両側近傍に１組設けている。２組以上設けても良いことはもちろんである。２組以上設ければ、容器本体１０およびオーバーキャップ１６の持つ位置をあまり変えずに開口することができ便利である。
【００３６】
オーバーキャップ１６実施形態１に係るアンダーカット１８は、図４に示すように、オーバーキャップ１６の中心軸Ｏ１から開封操作部２２へ向かう径方向腺Ｌ１に対して、２５°づつ開封操作部２２から離れて形成されている。その他、図５（ａ）、（ｂ）に示すように、アンダーカット１８を前記径方向腺Ｌ１から５０°づつ、４５°づつ開封操作部２２から離れて形成してもよい。アンダーカット１８は３〜４箇所設け適度の固定力を有する大きさに設計されている。
【００３７】
また、略断面コ字形状の開封操作部２２は、オーバーキャップ１６の下縁部から径方向外側に膨出し、オーバーキャップ１６の開口部１６ａに向かって、つまりオーバーキャップ１６の中心方向に向かって拡開状に形成している。オーバーキャップ１６はほぼ同厚で樹脂形成した概略椀状体であって、開封操作部２２が台形形状にオーバーキャップ１６中心軸Ｏ１を挟んで対で膨出して設けられており、各々が開口部１６ａに向かっている。
【００３８】
オーバーキャップ１６の素材樹脂は、適度の剛性と耐久性のある樹脂（例えばポリプロピレン樹脂）が好ましい。
【００３９】
実施形態１によれば、前記オーバーキャップ１６には、その下縁部の一部に、径方向外側に突出した一以上の開封操作部２２を設けていているので、図６、図７に示すように、オーバーキャップ１６を取り外す操作において、オーバーキャップ１６を手指で掴んで開封操作部２２を手指の親指と中指でオーバーキャップ１６中心軸Ｏ１方向に押圧操作することによって、開封操作部２２の対の基部付近が、巻き締め部１０ｃに当接してその周方向に間隔を開くように変形する。この変形によってアンダーカット１８が係合していた巻き締め部１０ｃから離れる方向に変形してその係合が外れるので、簡易に容器本体１０からオーバーキャップ１６を外すことができる。
【００４０】
また、アンダーカット１８は、開封操作部２２の両側近傍に少なくとも１組設けたので、開口操作部の操作した際に、バランスよく確実にアンダーカット１８の係合を外すことができる。
【００４１】
なお、アンダーカット１８の形成位置は、オーバーキャップ１６の中心軸Ｏ１から開封操作部２２へ向かう径方向腺Ｌ１に対して、５０°までの範囲で形成することが好ましい。５０°を超えると、開封操作部２２を押圧操作しても開封操作部２２から離れているのでオーバーキャップ１６が変形しにくくアンダーカット１８が巻き締め部１０ｃから離れにくい。
【００４２】
また、略断面コ字形状の開封操作部２２は、オーバーキャップ１６の開口部１６ａに向かって拡開状に形成するので、拡開状の部分が容易に開きやすい。その場合に、開封操作部２２を、オーバーキャップ１６中心軸Ｏ１を挟んで対で設けることによって更にバランス良く開口できる。
【００４３】
ここで、図１、図３〜図７に示した実施形態１に係るオーバーキャップ１６と、図２に示した開封操作部２２を形成していない比較例に係るオーバーキャップ１６について、容器本体１０から着脱を比較した結果を説明する。
【００４４】
評価方向は、スプレー缶（エアゾール製品）の容器本体１０に嵌合したオーバーキャップ１６を垂直方向に引き上げて、そのときの引っ張り強度を測定した。また、通常の取り外し方での評価も実施した。
【００４５】
評価基準は、「こじる」必要があるか、開封操作部２２を押して簡単に持ち上げることができたかで確認した。
【００４６】
オーバーキャップ１６を容器本体１０から取り外す操作は、図８の示す真上に引き上げる方法、図９に示すこじる方法を行った。なお、垂直方向への引き上げ力はシミュレーションにより定量的に比較した。
【００４７】
〔開封操作部２２の寸法〕
図３に示すように、
幅（周方向寸法）  ：１０（ｍｍ），１５（ｍｍ），２０（ｍｍ）
高さ（軸方向寸法）：１２．５（ｍｍ），１７．５（ｍｍ）
凸寸（径方向突出寸法）：３（ｍｍ），５（ｍｍ）
各寸法は、適度な操作性として考えられる範囲とした。
【００４８】
開封操作部２２の押し圧力は、１．５ｋｇｆ（噴射ボタン１４を押す力と同程度を設定）に設定した。
【００４９】
〔評価結果１〕（開封操作部２２の適正大きさの確認）
開封操作部２２を種々の寸法で形成した実施例１〜５について、外しやすさの実感を評価した。なお、比較例はアンダーカット１８を形成しておらず、実施例１〜５はアンダーカット１８をオーバーキャップ１６の中心軸Ｏ１から開封操作部２２へ向かう径方向腺Ｌ１から４５°のところに計４箇所配設した。
【００５０】
【表１】
2009132416.tif 000003
結果は、実施例４（幅１５（ｍｍ）×高さ１７．５（ｍｍ）×凸３（ｍｍ））の設定が、引っ張り強度、実感において優れた結果を得た。また、開封操作部２２（押圧部）を設けることで、外しやすさが改善されることがわかった。いずれの実施例１〜１０でも、比較例よりも引っ張り強度をかなり低下させることができ、評価は使いやすさが良「○」または優良「◎」であった。
【００５１】
〔評価結果２〕（アンダーカット１８の適正位置の確認）
アンダーカット１８をオーバーキャップ１６の中心軸Ｏ１から開封操作部２２へ向かう径方向線Ｌ１に対して、２５°〜５０°の間で５°ずつ位置を変えて設けた実施例５〜１０について、引っ張り強度（ｋｇｆ）を測定した。そして、外しやすさの実感を評価した（官能評価）。
【００５２】
【表２】
2009132416.tif 000004
評価結果２では、アンダーカット１８と開封操作部２２との位置関係（周方向への開き角度）は３０°以上が望ましく、より望ましいのが３５°以上で５０°以下とすることである。しかしながら、最適な開封操作部２２形成部の角度としては、４５°とすることで複数のアンダーカット１８が等間隔に配置され、全体のバランス、特に嵌合性能を最適にすることが最も望ましい。
【００５３】
なお、本発明のオーバーキャップ１６は、上記した実施形態１に限定されるものではなく、本発明の要旨を逸脱しない範囲内において種々変更を加え得ることは勿論である。
【００５４】
上記実施形態では、図４に示すように、開封操作部は、断面台形の凸状部に成形していたが、本発明に係る開封操作部はこの他、断面三角形や５角形以上の多角形や半円形、半楕円形形状にすることができる。開封操作部の厚さもオーバーキャップのアンダーカットを外すように変形できればオーバーキャップの厚さよりも薄くしたり厚くしたり適切に設定できる。例えば、断面略コ字形状に膨出成形した押圧部分は、高さ方向端部を閉鎖した形状で説明したが、閉鎖しない構造としてもよい。
【００５５】
また、例えば実施形態１では、エアゾール容器を例示し上記巻き締め部を環状突出部の一例と挙げたが、巻き締め部以外の例えばフランジ状に成形した容器本体部分を環状突出部とすることができる。
【００５６】
上記のような環状突出部容器を形成した容器の本発明の他の実施形態２〜３を説明する。
図８は、本発明の実施形態２に係る容器であって、容器本体３０の上端口元部３０に注出構造として、開口部３２ａがやや斜め上向きに開口した注出ノズル３２を設けている。この容器は、注出ノズル３２を下方に押圧操作（スクイズ）すると、図示しないポンプ機構によって液体を泡化してその泡を注出し、または、液体を、空気混合しながら勢いよく注出して対象部に供給するいわゆるディスペンサータイプのフォーマー容器である。毛髪または頭皮に泡状にした整髪料や薬剤を吹き付ける際等の注出に用いるのに好ましい。上記容器本体３０では、上端口元部３０ａ上部は概略筒状に突出しその突出部分の外側面に容器本体側方に突出した環状突出部３０ｂが形成されている。
【００５７】
また、図９は、本発明の実施形態３に係る容器であって、容器本体４０の先端部に注出構造として、開口部４２ａがやや斜め上向きの注出ノズル４２を設けている。この容器は、注出ノズル４２を上方向に引き、または、横方向に押したりして注出口を開口操作するいわゆるトグルタイプのものである。注出ノズル４２を上方に引き上げて、柔軟樹脂製の容器本体４０を押圧操作することによって内容物を注出し、注出ノズル４２を下方に押し下げて閉位置とすることで内容物を注出できないようにするトグルタイプである。容器本体４０では、上端口元部４０ａの上部に容器本体側方に突出した環状突出部４０ｂが形成されている。経口剤等の容易に用いる。
【００５８】
これら実施形態２、３の容器、３０、４０に設けるオーバーキャップ１６は、上記実施形態１や第１変形例〜第２変形例と同様であり、固定時には、オーバーキャップ１６で容器注出ノズル３２、４２周辺を覆うようにして押圧し（押し下げ）、これによって環状突出部３０、４０にオーバーキャップ１６のアンダーカット１８を嵌合・係合させて止め、一方、取り外し時には、開封操作部２２の押圧操作によってアンダーカット１８を環状突出部３０、４０から外してオーバーキャップ１６を容易に取り外せるようにする。その他の、構成・作用効果は、上記第１実施形態（第１〜２変形例も含めて）同様であり、同一部分に同一符号を付して詳細は省略する。
【図面の簡単な説明】
【００５９】
【図１】本発明の実施形態１に係るオーバーキャップを装着したエアゾール製品の一部断面視した全体説明図である。
【図２】比較例のオーバーキャップの開口部側から見た図である。
【図３】実施形態１に係るオーバーキャップの斜視図である。
【図４】同オーバーキャップを開口部側から見た説明図である。
【図５】（ａ）、（ｂ）は、オーバーキャップの第１変形例、第２変形例の説明図である。
【図６】実施形態１に係るオーバーキャップの取り外し状態の、図１のＩ−Ｉ線断面から見た説明図である。
【図７】同オーバーキャップを使用者が掴んで取り外し操作する状態の説明図である。
【図８】本発明の実施形態２に係るオーバーキャップを装着した容器の一部断面視した説明図である。
【図９】本発明の実施形態３に係るオーバーキャップを装着した容器の一部断面視した説明図である。
【図１０】一般的なオーバーキャップの取り外し例（引っ張り上げる）の説明図である。
【図１１】一般的なオーバーキャップの取り外し例（ひねる）の説明図である。
【符号の説明】
【００６０】
１０  容器本体
１０ａ  胴部
１０ｂ  肩部
１０ｃ  巻き締め部（環状突出部）
１０ｄ  弁体
１２  ステム（管体）
１４  噴射ボタン
１６  オーバーキャップ
１８  アンダーカット
２２  開封操作部
３０、４０  容器本体
３０ｂ、４０ｂ  環状突出部
３２、４２  注出ノズル
Ｌ1  径方向線（開封操作部を通る）
Ｏ１  キャップの中心軸
【図１】
2009132416.tif 000005
【図２】
2009132416.tif 000006
【図３】
2009132416.tif 000007
【図４】
2009132416.tif 000008
【図５】
2009132416.tif 000009
【図６】
2009132416.tif 000010
【図７】
2009132416.tif 000011
【図８】
2009132416.tif 000012
【図９】
2009132416.tif 000013
【図１０】
2009132416.tif 000014
【図１１】
2009132416.tif 000015